(57)【要約】  【課題】  ＤＴＳ音声対応されていない光ディスク再生装置において、ＤＴＳコンテンツの光ディスクを再生するときメニュー設定などでドルビー音声を選択しなくても、ドルビー音声の自動再生ができるようにする。  【解決手段】  ＤＴＳコンテンツの光ディスクの再生が開始すると、装置のセット機能がＤＴＳ音声対応であるか否かがＤＴＳ対応判定手段により判定される（Ｓ２）。この判定結果がＤＴＳ音声対応でないことを示す場合は、ドルビー音声選択手段により強制的にドルビー音声が選択されるように制御され（Ｓ３）、これにより、ＤＴＳ音声に代わりドルビー音声が出力される。このように、ＤＴＳ音声に代わり、ドルビー音声が出力されるので、ユーザにとっては快適な音声を聴くことができ、また、出力したい音声の種類としてドルビー音声を選択する操作を行う必要がなくなり、使い勝手が向上する。【選択図】      図８
2005116152.tif 000002
【特許請求の範囲】
【請求項１】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有する光ディスク再生装置において、光ディスクの再生が開始し、装置
のセット機能がＤＴＳ音声対応であるか否かを判定するＤＴＳ対応判定手段と、前記判定
結果がＤＴＳ音声対応でないことを示す場合は、強制的にドルビー音声を選択するように
制御を行うドルビー音声選択手段とを前記制御部に設けたことを特徴とする光ディスク再
生装置。
【請求項２】
光ディスクの再生が開始し、装置のセット機能がＤＴＳ音声対応であるか否かを判定す
るＤＴＳ対応判定手段と、前記判定結果がＤＴＳ音声対応でないことを示す場合は、強制
的にドルビー音声を選択するように制御を行うドルビー音声選択手段とを有する制御部を
備えたことを特徴とする光ディスク再生装置。
【請求項３】
ＤＴＳ音声対応の機能を有しない光ディスク再生装置であって、光ディスクの再生が開
始した場合は、強制的にドルビー音声を選択するように制御を行うドルビー音声選択手段
を有する制御部を備えたことを特徴とする光ディスク再生装置。
【請求項４】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有する光ディスク再生装置において、光ディスクの再生が開始し、前記
光ディスクから読み出されたディスクメニューのＤＴＳが選択された場合、装置のセット
機能がＤＴＳ音声対応であるか否かを判定するＤＴＳ対応判定手段と、前記判定結果がＤ
ＴＳ音声対応でないことを示す場合、警告を発生する警告発生手段とを前記制御部に設け
たことを特徴とする光ディスク再生装置。
【請求項５】
光ディスクの再生が開始し、前記光ディスクから読み出されたディスクメニューのＤＴ
Ｓが選択された場合、装置のセット機能がＤＴＳ音声対応であるか否かを判定するＤＴＳ
対応判定手段と、前記判定結果がＤＴＳ音声対応でないことを示す場合、警告を発生する
警告発生手段とを有する制御部を備えたことを特徴とする光ディスク再生装置。
【請求項６】
ＤＴＳ音声対応の機能を有しない光ディスク再生装置であって、光ディスクの再生が開
始し、前記光ディスクから読み出されたディスクメニューのＤＴＳが選択された場合、警
告を発生する警告発生手段を有する制御部を備えたことを特徴とする光ディスク再生装置
。
【請求項７】
前記ＤＴＳ音声対応の機能を有しない光ディスク再生装置とは、光ディスクに記録され
た映像・音声を含む圧縮データを読み取る光ピックアップと、この光ピックアップにより
読み取られた圧縮データの種類を識別するための識別情報のテーブルを記憶する記憶手段
と、前記光ピックアップにより読み取られた圧縮データを前記記憶手段に記憶された識別
情報に基づいてデータの種類毎に振り分けるデマルチプレクサと、このデマルチプレクサ
により振り分けられた映像の圧縮データに基づいて映像データを再生する映像再生手段と
、前記デマルチプレクサにより振り分けられた音声の圧縮データに基づいて音声データを
再生する音声再生手段と、前記光ピックアップと前記記憶手段と前記映像再生手段と前記
音声再生手段とを制御する制御部とを備え、前記テーブルに格納されている識別情報には
、音声データの種類を識別するための音声識別情報が含まれており、前記音声再生手段は
、前記光ピックアップにより読み取られたＤＴＳ以外の各種の音声の圧縮データを再生す
るための各種の音声デコーダを有し、前記光ピックアップにより読み取られた音声の圧縮
データに含まれる音声識別情報と、前記テーブルに格納された音声識別情報とを比較して
、前記光ピックアップにより読み取られた音声の圧縮データの種類を判別し、判別した圧
縮データの種類に応じて前記各種の音声デコーダのうちの該当の音声デコーダを選択する
機能を有し、ＤＴＳ音声を再生するためのＤＴＳデコーダを備えていない構成を有するこ
とを特徴とする請求項３または請求項６に記載の光ディスク再生装置。
【請求項８】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有する光ディスク再生装置において、光ディスクの再生が開始し、装置
のセット機能がＤＴＳ音声対応であるか否かを判定するＤＴＳ対応判定手段と、前記判定
結果がＤＴＳ音声対応でないことを示す場合は強制的にドルビー音声を選択するように制
御を行うドルビー音声選択手段と、同じく前記判定結果がＤＴＳ音声対応でないことを示
す場合は警告を発生する警告発生手段とを前記制御部に設けたことを特徴とする光ディス
ク再生装置。
【請求項９】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られたＤＴＳ以外の各種の音
声の圧縮データを再生するための各種の音声デコーダを有し、前記光ピックアップにより
読み取られた音声の圧縮データに含まれる音声識別情報と、前記テーブルに格納された音
声識別情報とを比較して、前記光ピックアップにより読み取られた音声の圧縮データの種
類を判別し、判別した圧縮データの種類に応じて前記各種の音声デコーダのうちの該当の
音声デコーダを選択する機能を有し、ＤＴＳ音声を再生するためのＤＴＳデコーダを備え
ていないものであり、このような構成を有し、ＤＴＳ音声対応されていない光ディスク再
生装置において、強制的にドルビー音声を選択するように制御を行うドルビー音声選択手
段または／および警告を発生する警告発生手段を前記制御部に設けたことを特徴とする光
ディスク再生装置。
【請求項１０】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有する光ディスク再生装置において、ディスクメニュー選択キーが押下
されたときディスクメニューを表示部に表示するディスクメニュー表示手段と、前記ディ
スクメニューから選択された音声を示す音声選択情報を記憶手段に格納する音声選択情報
格納手段と、前記表示部に表示されたディスクメニューの中からＤＴＳ音声を選択した場
合に装置のセット機能がＤＴＳ音声対応であるか否かを判定するＤＴＳ対応判定手段と、
前記判定結果がＤＴＳ音声対応でないことを示す場合に警告を発生する警告発生手段と、
前記判定結果がＤＴＳ音声対応であることを示す場合には前記記憶手段に格納されている
音声選択情報をＤＴＳ音声を示す音声選択情報に書き換えるＤＴＳ音声選択情報書換手段
と、前記表示部に表示されたディスクメニューの中からＤＴＳ音声を選択しなくドルビー
音声を選択した場合は前記記憶手段に格納されている音声選択情報をドルビー音声を示す
音声選択情報に書き換えるドルビー音声選択情報書換手段と、前記表示部に表示されたデ
ィスクメニューの中からＤＴＳ音声を選択しなくＬＰＣＭ音声を選択した場合は前記記憶
手段に格納されている音声選択情報をＬＰＣＭ音声を示す音声選択情報に書き換えるＬＰ
ＣＭ音声選択情報書換手段と、前記表示部に表示されたディスクメニューの中からＤＴＳ
音声を選択しなくＭＰＥＧ音声を選択した場合は前記記憶手段に格納されている音声選択
情報をＭＰＥＧ音声を示す音声選択情報に書き換えるＭＰＥＧ音声選択情報書換手段と、
本編再生処理が開始し装置のセット機能がＤＴＳ音声対応であった場合に前記記憶手段に
音声選択情報が有るか無いかを判定する第１の音声選択情報有無判定手段と、前記記憶手
段に音声選択情報が有ると判定された場合に前記記憶手段に格納されている音声選択情報
に従って音声を選択する第１の音声選択手段と、本編再生処理が開始し装置のセット機能
がＤＴＳ音声対応でなかった場合に前記記憶手段に音声選択情報が有るか無いかを判定す
る第２の音声選択情報有無判定手段と、前記記憶手段に音声選択情報が有ると判定された
場合に前記記憶手段に格納されている音声選択情報はＤＴＳ音声を示す音声選択情報であ
るか否かを判定する音声選択情報判定手段と、前記音声選択情報がＤＴＳ音声を示す音声
選択情報であると判定された場合に強制的にドルビー音声を選択するように制御を行うド
ルビー音声選択手段と、前記音声選択情報がＤＴＳ音声を示す音声選択情報でないと判定
された場合に前記記憶手段に格納されている音声選択情報に従って音声を選択する第２の
音声選択手段と，前記強制的にドルビー音声を選択した後、または前記記憶手段に格納さ
れている音声選択情報に従って音声を選択した後に本編情報の再生を行うように制御する
本編再生制御手段とを、前記制御部に設けたことを特徴とする光ディスク再生装置。
【発明の詳細な説明】
【技術分野】
【０００１】
本発明は、ＤＶＤ（Digital Versatile Disc）などの光ディスクに記録された映像およ
び音声などの情報を読み取って、映像および音声を再生する光ディスク再生装置に関し、
特に、特にＤＴＳ（Digital Theater System）音声の再生機能または出力機能を持たない
光ディスク再生装置に関する。
【背景技術】
【０００２】
従来より、ＤＶＤなどの光ディスクにおいて、ＬＰＣＭ（Linear Pulse Code Modulati
on）、ドルビーディジタル、ＭＰＥＧ（Moving Picture Coding Experts Group）オーデ
ィオ、ＤＴＳなどの各種の音声圧縮データを記録した、いわゆる多重オーディオストリー
ムの光ディスクが知られている。この種の光ディスクにおいては、ＤＴＳ音声を最初のス
トリームに記録する光ディスクが増加する傾向にある。
【０００３】
これに対して、光ディスクに記録された音声などの情報を再生する光ディスク再生装置
の中には、音声を再生するオーディオデコーダ内にＤＴＳ音声の再生用のデコーダである
ＤＴＳデコーダを有さないものや、ＤＴＳデコーダに関する特許のライセンス料を払って
いないためにＤＴＳ音声を出力しないように構成されたものがある。
【０００４】
このようなＤＴＳ音声の再生機能または出力機能を持たない光ディスク再生装置では、
通常はユーザがＤＴＳ音声の再生を選択できないようになっており、しかも、工場出荷時
における初期設定で、電源投入後の最初の再生時にはＤＴＳ音声以外の音声が自動選択さ
れるように設定されている。このため、電源投入後の最初の再生時には、ＤＴＳ音声の圧
縮データがオーディオデコーダに送られることはないので、音声の出力端子からはＤＴＳ
音声信号が出力されない。
【特許文献１】特開２００１−２８１６７号公報
【特許文献２】特開２００２−１７０３３０号公報
【発明の開示】
【発明が解決しようとする課題】
【０００５】
しかしながら、上記のようなＤＴＳ音声の再生機能または出力機能を持たない従来の光
ディスク再生装置では、例えば、ＬＰＣＭ、ドルビーディジタル、ＭＰＥＧオーディオ、
およびＤＴＳ音声が記録された光ディスクを再生しようとすると、再生時にＤＴＳ音声以
外の音声（通常ＬＰＣＭ）が自動選択されるように初期設定されている。したがって、Ｄ
ＴＳコンテンツの光ディスクを再生したにもかかわらず、ＤＴＳ音声が出力されず、ＬＰ
ＣＭ音声が出力されるので、ユーザにとっては不快感を与え、また、ドルビー音声を出力
させたい場合は、出力したい音声の種類としてドルビー音声を選択する操作を行わなけれ
ばならない。
【０００６】
例えば、このドルビー音声の選択は、装置側の設定メニューで選択する場合と、ＤＴＳ
コンテンツの光ディスクによるディスクメニューで選択する場合とがあり、このディスク
メニューで選択する場合は、ＤＴＳ音声が初期値として設定されているとき、ＤＴＳ音声
からドルビー音声に切り換えることになる。したがって、従来の光ディスク再生装置では
、ドルビー音声を選択する操作が面倒で、使い勝手があまり良くないという課題があった
。
【０００７】
なお、特許文献１の従来技術では、ディスクに記録されたデータのエンコード方式をデ
ィスクの目次情報と対応付けて記憶し、ディスクがロードされた時点でディスクのエンコ
ード方式を判別することにより、エンコード方式に応じた情報再生、特に音響情報の再生
を行うものである。即ち、この従来技術では、ＤＴＳ音声とＰＣＭ音声とを判別するだけ
で、ドルビー音声については開示されていないので、上記のような課題を解決できるもの
ではない。
【０００８】
また、特許文献２の従来技術では、ビットストリームがＰＣＭ信号であるかＤＴＳ信号
であるかを判別するための処理は行われるが、ドルビー音声については開示されていない
ので、上記のような課題を解決できるものではない。
【０００９】
本発明は、上記のような課題を解決するためになされたもので、ＤＴＳ音声対応されて
いない光ディスク再生装置において、ＤＴＳコンテンツの光ディスクを再生するときメニ
ュー設定などでドルビー音声を選択しなくても、ドルビー音声を自動再生できるようにし
、あるいはＤＴＳコンテンツの光ディスクを再生するときディスクメニューでＤＴＳ音声
を選択すると警告を発生する光ディスク再生装置を提供することを目的とする。
【課題を解決するための手段】
【００１０】
上記目的を達成するために請求項１の発明は、光ディスクに記録された映像・音声を含
む圧縮データを読み取る光ピックアップと、この光ピックアップにより読み取られた圧縮
データの種類を識別するための識別情報のテーブルを記憶する記憶手段と、前記光ピック
アップにより読み取られた圧縮データを前記記憶手段に記憶された識別情報に基づいてデ
ータの種類毎に振り分けるデマルチプレクサと、このデマルチプレクサにより振り分けら
れた映像の圧縮データに基づいて映像データを再生する映像再生手段と、前記デマルチプ
レクサにより振り分けられた音声の圧縮データに基づいて音声データを再生する音声再生
手段と、前記光ピックアップと前記記憶手段と前記映像再生手段と前記音声再生手段とを
制御する制御部とを備え、前記テーブルに格納されている識別情報には、音声データの種
類を識別するための音声識別情報が含まれており、前記音声再生手段は、前記光ピックア
ップにより読み取られた各種の音声の圧縮データを再生するための各種の音声デコーダを
有し、前記光ピックアップにより読み取られた音声の圧縮データに含まれる音声識別情報
と、前記テーブルに格納された音声識別情報とを比較して、前記光ピックアップにより読
み取られた音声の圧縮データの種類を判別し、判別した圧縮データの種類に応じて前記各
種の音声デコーダのうちの該当の音声デコーダを選択する機能を有する光ディスク再生装
置において、光ディスクの再生が開始し、装置のセット機能がＤＴＳ音声対応であるか否
かを判定するＤＴＳ対応判定手段と、前記判定結果がＤＴＳ音声対応でないことを示す場
合は、強制的にドルビー音声を選択するように制御を行うドルビー音声選択手段とを前記
制御部に設けたことを特徴とする光ディスク再生装置を提供する。
【００１１】
この構成において、再生処理が開始し、光ディスクに記録された映像・音声を含む圧縮
データが光ピックアップにより読み取られる。この光ピックアップにより読み取られた圧
縮データは、記憶手段に記憶された識別情報に基づいてデータの種類毎にデマルチプレク
サにより振り分けられる。映像再生手段において、映像データは映像の圧縮データに基づ
いて再生される。また、音声再生手段において、音声データは音声の圧縮データに基づい
て再生される。前記光ピックアップと前記記憶手段と前記映像再生手段と前記音声再生手
段とは制御部により制御される。
【００１２】
ここで、ＤＴＳコンテンツの光ディスクの再生が開始したとすると、装置のセット機能
がＤＴＳ音声対応であるか否かがＤＴＳ対応判定手段により判定される。この判定結果が
ＤＴＳ音声対応でないことを示す場合は、ドルビー音声選択手段により強制的にドルビー
音声が選択されるように制御され、これにより、ＤＴＳ音声に代わりドルビー音声が出力
される。
【００１３】
この構成によれば、ＤＴＳ音声対応されていない光ディスク再生装置において、ＤＴＳ
コンテンツの光ディスクを再生するときメニュー設定などでドルビー音声を選択しなくて
も、ドルビー音声の自動再生ができる。このように、ＤＴＳ音声に代わり、ドルビー音声
が自動的に再生され出力されるので、ユーザにとっては快適な音声を聴くことができ、ま
た、出力したい音声の種類としてドルビー音声を選択する操作を行う必要がなくなり、使
い勝手が向上する。
【００１４】
請求項２の発明は、光ディスクの再生が開始し、装置のセット機能がＤＴＳ音声対応で
あるか否かを判定するＤＴＳ対応判定手段と、前記判定結果がＤＴＳ音声対応でないこと
を示す場合は、強制的にドルビー音声を選択するように制御を行うドルビー音声選択手段
とを有する制御部を備えたことを特徴とする光ディスク再生装置を提供する。
【００１５】
この構成において、ＤＴＳコンテンツの光ディスクの再生が開始したとすると、装置の
セット機能がＤＴＳ音声対応であるか否かがＤＴＳ対応判定手段により判定される。この
判定結果がＤＴＳ音声対応でないことを示す場合は、ドルビー音声選択手段により強制的
にドルビー音声が選択されるように制御され、これにより、ＤＴＳ音声に代わりドルビー
音声が出力される。
【００１６】
この構成によれば、ＤＴＳ音声対応されていない光ディスク再生装置において、ＤＴＳ
コンテンツの光ディスクを再生するときメニュー設定などでドルビー音声を選択しなくて
も、ドルビー音声の自動再生ができる。このように、ＤＴＳ音声に代わり、ドルビー音声
が自動的に再生され出力されるので、ユーザにとっては快適な音声を聴くことができ、ま
た、出力したい音声の種類としてドルビー音声を選択する操作を行う必要がなくなり、使
い勝手が向上する。
【００１７】
請求項３の発明は、ＤＴＳ音声対応の機能を有しない光ディスク再生装置であって、光
ディスクの再生が開始した場合は、強制的にドルビー音声を選択するように制御を行うド
ルビー音声選択手段を有する制御部を備えたことを特徴とする光ディスク再生装置を提供
する。
【００１８】
この構成において、光ディスクの再生が開始した場合は、強制的にドルビー音声が選択
される。したがって、この構成によれば、ユーザにとっては快適な音声を聴くことができ
、また、出力したい音声の種類としてドルビー音声を選択する操作を行う必要がなくなり
、使い勝手が向上する。
【００１９】
請求項４の発明では、光ディスクに記録された映像・音声を含む圧縮データを読み取る
光ピックアップと、この光ピックアップにより読み取られた圧縮データの種類を識別する
ための識別情報のテーブルを記憶する記憶手段と、前記光ピックアップにより読み取られ
た圧縮データを前記記憶手段に記憶された識別情報に基づいてデータの種類毎に振り分け
るデマルチプレクサと、このデマルチプレクサにより振り分けられた映像の圧縮データに
基づいて映像データを再生する映像再生手段と、前記デマルチプレクサにより振り分けら
れた音声の圧縮データに基づいて音声データを再生する音声再生手段と、前記光ピックア
ップと前記記憶手段と前記映像再生手段と前記音声再生手段とを制御する制御部とを備え
、前記テーブルに格納されている識別情報には、音声データの種類を識別するための音声
識別情報が含まれており、前記音声再生手段は、前記光ピックアップにより読み取られた
各種の音声の圧縮データを再生するための各種の音声デコーダを有し、前記光ピックアッ
プにより読み取られた音声の圧縮データに含まれる音声識別情報と、前記テーブルに格納
された音声識別情報とを比較して、前記光ピックアップにより読み取られた音声の圧縮デ
ータの種類を判別し、判別した圧縮データの種類に応じて前記各種の音声デコーダのうち
の該当の音声デコーダを選択する機能を有する光ディスク再生装置において、光ディスク
の再生が開始し、前記光ディスクから読み出されたディスクメニューのＤＴＳが選択され
た場合、装置のセット機能がＤＴＳ音声対応であるか否かを判定するＤＴＳ対応判定手段
と、前記判定結果がＤＴＳ音声対応でないことを示す場合、警告を発生する警告発生手段
とを前記制御部に設けたことを特徴とする光ディスク再生装置を提供する。
【００２０】
この構成において、再生処理が開始し、光ディスクに記録された映像・音声を含む圧縮
データが光ピックアップにより読み取られる。この光ピックアップにより読み取られた圧
縮データは、記憶手段に記憶された識別情報に基づいてデータの種類毎にデマルチプレク
サにより振り分けられる。映像再生手段において、映像データは映像の圧縮データに基づ
いて再生される。また、音声再生手段において、音声データは音声の圧縮データに基づい
て再生される。前記光ピックアップと前記記憶手段と前記映像再生手段と前記音声再生手
段とは制御部により制御される。
【００２１】
ここで、ＤＴＳコンテンツの光ディスクの再生が開始し、前記光ディスクから読み出さ
れたディスクメニューのＤＴＳが選択された場合、装置のセット機能がＤＴＳ音声対応で
あるか否かがＤＴＳ対応判定手段により判定され、この判定結果がＤＴＳ音声対応でない
ことを示す場合、警告が警告発生手段により発生する。
【００２２】
この構成によれば、ＤＴＳ音声対応されていない光ディスク再生装置において、ＤＴＳ
コンテンツの光ディスクを再生するとき、ディスクメニューのＤＴＳを選択すると、警告
が発生する。したがって、ユーザは、当該光ディスク再生装置がＤＴＳ音声対応されてい
ないことが分かり、これにより、ユーザには不快感を与えるようなことがなくなり、使い
勝手が向上する。
【００２３】
請求項５の発明は、光ディスクの再生が開始し、前記光ディスクから読み出されたディ
スクメニューのＤＴＳが選択された場合、装置のセット機能がＤＴＳ音声対応であるか否
かを示すＤＴＳ対応判定手段と、前記判定結果がＤＴＳ音声対応でないことを示す場合、
警告を発生する警告発生手段とを有する制御部を備えたことを特徴とする光ディスク再生
装置を提供する。
【００２４】
この構成において、ＤＴＳコンテンツの光ディスクの再生が開始し、前記光ディスクか
ら読み出されたディスクメニューのＤＴＳが選択された場合、装置のセット機能がＤＴＳ
音声対応であるか否かがＤＴＳ対応判定手段により判定され、この判定結果がＤＴＳ音声
対応でないことを示す場合、警告が警告発生手段により発生する。
【００２５】
この構成によれば、ＤＴＳ音声対応されていない光ディスク再生装置において、ＤＴＳ
コンテンツの光ディスクを再生するとき、ディスクメニューのＤＴＳを選択すると、警告
が発生する。したがって、ユーザは、当該光ディスク再生装置がＤＴＳ音声対応されてい
ないことが分かり、これにより、ユーザには不快感を与えるようなことがなくなり、使い
勝手が向上する。
【００２６】
請求項６の発明は、ＤＴＳ音声対応の機能を有しない光ディスク再生装置であって、光
ディスクの再生が開始し、前記光ディスクから読み出されたディスクメニューのＤＴＳが
選択された場合、警告を発生する警告発生手段を有する制御部を備えたことを特徴とする
光ディスク再生装置を提供する。
【００２７】
この構成によれば、光ディスクの再生が開始し、前記光ディスクから読み出されたディ
スクメニューのＤＴＳが選択された場合、警告が発生する。したがって、ユーザは、当該
光ディスク再生装置がＤＴＳ音声対応されていないことが分かり、これにより、ユーザに
は不快感を与えるようなことがなくなり、使い勝手が向上する。
【００２８】
請求項７の発明では、請求項３または請求項６の発明においてＤＴＳ音声対応の機能を
有しない光ディスク再生装置とは、光ディスクに記録された映像・音声を含む圧縮データ
を読み取る光ピックアップと、この光ピックアップにより読み取られた圧縮データの種類
を識別するための識別情報のテーブルを記憶する記憶手段と、前記光ピックアップにより
読み取られた圧縮データを前記記憶手段に記憶された識別情報に基づいてデータの種類毎
に振り分けるデマルチプレクサと、このデマルチプレクサにより振り分けられた映像の圧
縮データに基づいて映像データを再生する映像再生手段と、前記デマルチプレクサにより
振り分けられた音声の圧縮データに基づいて音声データを再生する音声再生手段と、前記
光ピックアップと前記記憶手段と前記映像再生手段と前記音声再生手段とを制御する制御
部とを備え、前記テーブルに格納されている識別情報には、音声データの種類を識別する
ための音声識別情報が含まれており、前記音声再生手段は、前記光ピックアップにより読
み取られたＤＴＳ以外の各種の音声の圧縮データを再生するための各種の音声デコーダを
有し、前記光ピックアップにより読み取られた音声の圧縮データに含まれる音声識別情報
と、前記テーブルに格納された音声識別情報とを比較して、前記光ピックアップにより読
み取られた音声の圧縮データの種類を判別し、判別した圧縮データの種類に応じて前記各
種の音声デコーダのうちの該当の音声デコーダを選択する機能を有し、ＤＴＳ音声を再生
するためのＤＴＳデコーダを備えていない構成を有する光ディスク再生装置である。
【００２９】
したがって、このようなＤＴＳ音声対応の機能を有しない光ディスク再生装置において
、ＤＴＳ対応判定手段とドルビー音声選択手段とを備えた場合、ＤＴＳコンテンツの光デ
ィスクを再生するときメニュー設定などでドルビー音声を選択しなくても、ドルビー音声
の自動再生ができる。また、このようなＤＴＳ音声対応の機能を有しない光ディスク再生
装置において、ＤＴＳ対応判定手段と警告発生手段とを備えた場合、ＤＴＳコンテンツの
光ディスクを再生するとき、ディスクメニューのＤＴＳを選択すると、警告が発生する。
【００３０】
請求項８の発明は、光ディスクに記録された映像・音声を含む圧縮データを読み取る光
ピックアップと、この光ピックアップにより読み取られた圧縮データの種類を識別するた
めの識別情報のテーブルを記憶する記憶手段と、前記光ピックアップにより読み取られた
圧縮データを前記記憶手段に記憶された識別情報に基づいてデータの種類毎に振り分ける
デマルチプレクサと、このデマルチプレクサにより振り分けられた映像の圧縮データに基
づいて映像データを再生する映像再生手段と、前記デマルチプレクサにより振り分けられ
た音声の圧縮データに基づいて音声データを再生する音声再生手段と、前記光ピックアッ
プと前記記憶手段と前記映像再生手段と前記音声再生手段とを制御する制御部とを備え、
前記テーブルに格納されている識別情報には、音声データの種類を識別するための音声識
別情報が含まれており、前記音声再生手段は、前記光ピックアップにより読み取られた各
種の音声の圧縮データを再生するための各種の音声デコーダを有し、前記光ピックアップ
により読み取られた音声の圧縮データに含まれる音声識別情報と、前記テーブルに格納さ
れた音声識別情報とを比較して、前記光ピックアップにより読み取られた音声の圧縮デー
タの種類を判別し、判別した圧縮データの種類に応じて前記各種の音声デコーダのうちの
該当の音声デコーダを選択する機能を有する光ディスク再生装置において、光ディスクの
再生が開始し、装置のセット機能がＤＴＳ音声対応であるか否かを判定するＤＴＳ対応判
定手段と、前記判定結果がＤＴＳ音声対応でないことを示す場合は強制的にドルビー音声
を選択するように制御を行うドルビー音声選択手段と、同じく前記判定結果がＤＴＳ音声
対応でないことを示す場合は警告を発生する警告発生手段とを前記制御部に設けたことを
特徴とする光ディスク再生装置を提供する。
【００３１】
この構成において、再生処理が開始し、光ディスクに記録された映像・音声を含む圧縮
データが光ピックアップにより読み取られる。この光ピックアップにより読み取られた圧
縮データは、記憶手段に記憶された識別情報に基づいてデータの種類毎にデマルチプレク
サにより振り分けられる。映像再生手段において、映像データは映像の圧縮データに基づ
いて再生される。また、音声再生手段において、音声データは音声の圧縮データに基づい
て再生される。前記光ピックアップと前記記憶手段と前記映像再生手段と前記音声再生手
段とは制御部により制御される。
【００３２】
ここで、ＤＴＳコンテンツの光ディスクの再生が開始したとすると、装置のセット機能
がＤＴＳ音声対応であるか否かがＤＴＳ対応判定手段により判定される。この判定結果が
ＤＴＳ音声対応でないことを示す場合は、ドルビー音声選択手段により強制的にドルビー
音声が選択されるように制御され、これにより、ＤＴＳ音声に代わりドルビー音声が出力
される。また、前記判定結果がＤＴＳ音声対応でないことを示す場合、警告が警告発生手
段により発生する。
【００３３】
この構成によれば、ＤＴＳ音声対応されていない光ディスク再生装置において、ＤＴＳ
コンテンツの光ディスクを再生するときメニュー設定などでドルビー音声を選択しなくて
も、ドルビー音声の自動再生ができる。このように、ＤＴＳ音声に代わり、ドルビー音声
が自動的に再生され出力されるので、ユーザにとっては快適な音声を聴くことができ、ま
た、出力したい音声の種類としてドルビー音声を選択する操作を行う必要がなくなり、使
い勝手が向上する。
【００３４】
また、この構成によれば、ＤＴＳ音声対応されていない光ディスク再生装置において、
ＤＴＳコンテンツの光ディスクを再生するとき、ディスクメニューのＤＴＳを選択すると
、警告が発生する。したがって、ユーザは、当該光ディスク再生装置がＤＴＳ音声対応さ
れていないことが分かり、これにより、ユーザには不快感を与えるようなことがなくなり
、使い勝手が向上する。
【００３５】
請求項９の発明は、光ディスクに記録された映像・音声を含む圧縮データを読み取る光
ピックアップと、この光ピックアップにより読み取られた圧縮データの種類を識別するた
めの識別情報のテーブルを記憶する記憶手段と、前記光ピックアップにより読み取られた
圧縮データを前記記憶手段に記憶された識別情報に基づいてデータの種類毎に振り分ける
デマルチプレクサと、このデマルチプレクサにより振り分けられた映像の圧縮データに基
づいて映像データを再生する映像再生手段と、前記デマルチプレクサにより振り分けられ
た音声の圧縮データに基づいて音声データを再生する音声再生手段と、前記光ピックアッ
プと前記記憶手段と前記映像再生手段と前記音声再生手段とを制御する制御部とを備え、
前記テーブルに格納されている識別情報には、音声データの種類を識別するための音声識
別情報が含まれており、前記音声再生手段は、前記光ピックアップにより読み取られたＤ
ＴＳ以外の各種の音声の圧縮データを再生するための各種の音声デコーダを有し、前記光
ピックアップにより読み取られた音声の圧縮データに含まれる音声識別情報と、前記テー
ブルに格納された音声識別情報とを比較して、前記光ピックアップにより読み取られた音
声の圧縮データの種類を判別し、判別した圧縮データの種類に応じて前記各種の音声デコ
ーダのうちの該当の音声デコーダを選択する機能を有し、ＤＴＳ音声を再生するためのＤ
ＴＳデコーダを備えていないものであり、このような構成を有し、ＤＴＳ音声対応されて
いない光ディスク再生装置において、強制的にドルビー音声を選択するように制御を行う
ドルビー音声選択手段または／および警告を発生する警告発生手段を前記制御部に設けた
ことを特徴とする光ディスク再生装置を提供する。
【００３６】
この構成において、再生処理が開始し、光ディスクに記録された映像・音声を含む圧縮
データが光ピックアップにより読み取られる。この光ピックアップにより読み取られた圧
縮データは、記憶手段に記憶された識別情報に基づいてデータの種類毎にデマルチプレク
サにより振り分けられる。映像再生手段において、映像データは映像の圧縮データに基づ
いて再生される。また、音声再生手段において、音声データは音声の圧縮データに基づい
て再生される。前記光ピックアップと前記記憶手段と前記映像再生手段と前記音声再生手
段とは制御部により制御される。
【００３７】
ここで、ＤＴＳコンテンツの光ディスクの再生が開始したとすると、装置のセット機能
がＤＴＳ音声対応であるか否かがＤＴＳ対応判定手段により判定される。この判定結果が
ＤＴＳ音声対応でないことを示す場合は、ドルビー音声選択手段により強制的にドルビー
音声が選択されるように制御され、これにより、ＤＴＳ音声に代わりドルビー音声が出力
され、または／および前記判定結果がＤＴＳ音声対応でないことを示す場合、警告が警告
発生手段により発生する。
【００３８】
この構成によれば、ＤＴＳ音声対応されていない光ディスク再生装置において、ＤＴＳ
コンテンツの光ディスクを再生するときメニュー設定などでドルビー音声を選択しなくて
も、ドルビー音声の自動再生ができる。このように、ＤＴＳ音声に代わり、ドルビー音声
が自動的に再生され出力されるので、ユーザにとっては快適な音声を聴くことができ、ま
た、出力したい音声の種類としてドルビー音声を選択する操作を行う必要がなくなり、使
い勝手が向上する。
【００３９】
または／および、この構成によれば、ＤＴＳ音声対応されていない光ディスク再生装置
において、ＤＴＳコンテンツの光ディスクを再生するとき、ディスクメニューのＤＴＳを
選択すると、警告が発生する。したがって、ユーザは、当該光ディスク再生装置がＤＴＳ
音声対応されていないことが分かり、これにより、ユーザには不快感を与えるようなこと
がなくなり、使い勝手が向上する。
【００４０】
請求項１０の発明は、光ディスクに記録された映像・音声を含む圧縮データを読み取る
光ピックアップと、この光ピックアップにより読み取られた圧縮データの種類を識別する
ための識別情報のテーブルを記憶する記憶手段と、前記光ピックアップにより読み取られ
た圧縮データを前記記憶手段に記憶された識別情報に基づいてデータの種類毎に振り分け
るデマルチプレクサと、このデマルチプレクサにより振り分けられた映像の圧縮データに
基づいて映像データを再生する映像再生手段と、前記デマルチプレクサにより振り分けら
れた音声の圧縮データに基づいて音声データを再生する音声再生手段と、前記光ピックア
ップと前記記憶手段と前記映像再生手段と前記音声再生手段とを制御する制御部とを備え
、前記テーブルに格納されている識別情報には、音声データの種類を識別するための音声
識別情報が含まれており、前記音声再生手段は、前記光ピックアップにより読み取られた
ＤＴＳ以外の各種の音声の圧縮データを再生するための各種の音声デコーダを有し、前記
光ピックアップにより読み取られた音声の圧縮データに含まれる音声識別情報と、前記テ
ーブルに格納された音声識別情報とを比較して、前記光ピックアップにより読み取られた
音声の圧縮データの種類を判別し、判別した圧縮データの種類に応じて前記各種の音声デ
コーダのうちの該当の音声デコーダを選択する機能を有する光ディスク再生装置において
、ディスクメニュー選択キーが押下されたときディスクメニューを表示部に表示するディ
スクメニュー表示手段と、前記ディスクメニューから選択された音声を示す音声選択情報
を記憶手段に格納する音声選択情報格納手段と、前記表示部に表示されたディスクメニュ
ーの中からＤＴＳ音声を選択した場合に装置のセット機能がＤＴＳ音声対応であるか否か
を判定するＤＴＳ対応判定手段と、前記判定結果がＤＴＳ音声対応でないことを示す場合
に警告を発生する警告発生手段と、前記判定結果がＤＴＳ音声対応であることを示す場合
には前記記憶手段に格納されている音声選択情報をＤＴＳ音声を示す音声選択情報に書き
換えるＤＴＳ音声選択情報書換手段と、前記表示部に表示されたディスクメニューの中か
らＤＴＳ音声を選択しなくドルビー音声を選択した場合は前記記憶手段に格納されている
音声選択情報をドルビー音声を示す音声選択情報に書き換えるドルビー音声選択情報書換
手段と、前記表示部に表示されたディスクメニューの中からＤＴＳ音声を選択しなくＬＰ
ＣＭ音声を選択した場合は前記記憶手段に格納されている音声選択情報をＬＰＣＭ音声を
示す音声選択情報に書き換えるＬＰＣＭ音声選択情報書換手段と、前記表示部に表示され
たディスクメニューの中からＤＴＳ音声を選択しなくＭＰＥＧ音声を選択した場合は前記
記憶手段に格納されている音声選択情報をＭＰＥＧ音声を示す音声選択情報に書き換える
ＭＰＥＧ音声選択情報書換手段と、本編再生処理が開始し装置のセット機能がＤＴＳ音声
対応であった場合に前記記憶手段に音声選択情報が有るか無いかを判定する第１の音声選
択情報有無判定手段と、前記記憶手段に音声選択情報が有ると判定された場合に前記記憶
手段に格納されている音声選択情報に従って音声を選択する第１の音声選択手段と、本編
再生処理が開始し装置のセット機能がＤＴＳ音声対応でなかった場合に前記記憶手段に音
声選択情報が有るか無いかを判定する第２の音声選択情報有無判定手段と、前記記憶手段
に音声選択情報が有ると判定された場合に前記記憶手段に格納されている音声選択情報は
ＤＴＳ音声を示す音声選択情報であるか否かを判定する音声選択情報判定手段と、前記音
声選択情報がＤＴＳ音声を示す音声選択情報であると判定された場合に強制的にドルビー
音声を選択するように制御を行うドルビー音声選択手段と、前記音声選択情報がＤＴＳ音
声を示す音声選択情報でないと判定された場合に前記記憶手段に格納されている音声選択
情報に従って音声を選択する第２の音声選択手段と，前記強制的にドルビー音声を選択し
た後、または前記記憶手段に格納されている音声選択情報に従って音声を選択した後に本
編情報の再生を行うように制御する本編再生制御手段とを、前記制御部に設けたことを特
徴とする光ディスク再生装置を提供する。
【００４１】
この構成において、光ディスクに記録された映像・音声を含む圧縮データが光ピックア
ップにより読み取られる。この光ピックアップにより読み取られた圧縮データは、記憶手
段に記憶された識別情報に基づいてデータの種類毎にデマルチプレクサにより振り分けら
れる。映像再生手段において、映像データは映像の圧縮データに基づいて再生される。ま
た、音声再生手段において、音声データは音声の圧縮データに基づいて再生される。前記
光ピックアップと前記記憶手段と前記映像再生手段と前記音声再生手段とは制御部により
制御される。
【００４２】
ディスクメニュー選択に関する処理においては、ディスクメニュー選択キーが押下され
たとき、ディスクメニューがディスクメニュー表示手段により表示部に表示される。前記
ディスクメニューから選択された音声を示す音声選択情報が音声選択情報格納手段により
記憶手段に格納される。前記表示部に表示されたディスクメニューの中からＤＴＳ音声が
選択された場合、装置のセット機能がＤＴＳ音声対応であるか否かがＤＴＳ対応判定手段
により判定され、前記判定結果がＤＴＳ音声対応でないことを示す場合には警告発生手段
により警告が発生する。前記判定結果がＤＴＳ音声対応であることを示す場合には、前記
記憶手段に格納されている音声選択情報は、ＤＴＳ音声選択情報書換手段により、ＤＴＳ
音声を示す音声選択情報に書き換えられる。
【００４３】
前記表示部に表示されたディスクメニューの中からＤＴＳ音声を選択しなくドルビー音
声を選択した場合、前記記憶手段に格納されている音声選択情報は、ドルビー音声選択情
報書換手段により、ドルビー音声を示す音声選択情報に書き換えられる。前記表示部に表
示されたディスクメニューの中からＤＴＳ音声を選択しなくＬＰＣＭ音声を選択した場合
は、前記記憶手段に格納されている音声選択情報は、ＬＰＣＭ音声選択情報書換手段によ
り、ＬＰＣＭ音声を示す音声選択情報に書き換えられる。前記表示部に表示されたディス
クメニューの中からＤＴＳ音声を選択しなくＭＰＥＧ音声を選択した場合は、前記記憶手
段に格納されている音声選択情報は、ＭＰＥＧ音声選択情報書換手段により、ＭＰＥＧ音
声を示す音声選択情報に書き換えられる。
【００４４】
そして、本編再生に関する処理においては、本編再生処理が開始し、装置のセット機能
がＤＴＳ音声対応であった場合には、前記記憶手段に音声選択情報が有るか無いかが第１
の音声選択情報有無判定手段により判定され、前記記憶手段に音声選択情報が有ると判定
された場合、前記記憶手段に格納されている音声選択情報に従って音声が第１の音声選択
手段により選択される。
【００４５】
また、本編再生処理が開始し、装置のセット機能がＤＴＳ音声対応でなかった場合には
、前記記憶手段に音声選択情報が有るか無いかが第２の音声選択情報有無判定手段により
判定され、前記記憶手段に音声選択情報が有ると判定された場合、前記記憶手段に格納さ
れている音声選択情報はＤＴＳ音声を示す音声選択情報であるか否かが音声選択情報判定
手段により判定される。前記音声選択情報がＤＴＳ音声を示す音声選択情報であると判定
された場合には、強制的にドルビー音声がドルビー音声選択手段により選択される。
【００４６】
前記音声選択情報がＤＴＳ音声を示す音声選択情報でないと判定された場合、前記記憶
手段に格納されている音声選択情報に従って音声が第２の音声選択手段により選択される
。前記強制的にドルビー音声が選択された後、または前記記憶手段に格納されている音声
選択情報に従って音声が選択された後は、本編再生制御手段の制御により本編情報が再生
される。
【００４７】
この構成によれば、ＤＴＳコンテンツの光ディスクを再生するときメニュー設定などで
ドルビー音声を選択しなくても、ドルビー音声の自動再生ができる。このように、ＤＴＳ
音声に代わり、ドルビー音声が自動的に再生され出力されるので、ユーザにとっては快適
な音声を聴くことができ、また、出力したい音声の種類としてドルビー音声を選択する操
作を行う必要がなくなり、使い勝手が向上する。
【００４８】
また、この構成によれば、ＤＴＳコンテンツの光ディスクを再生するとき、ディスクメ
ニューのＤＴＳを選択すると、警告が発生する。したがって、ユーザは、当該光ディスク
再生装置がＤＴＳ音声対応されていないことが分かり、これにより、ユーザには不快感を
与えるようなことがなくなり、使い勝手が向上する。
【発明の効果】
【００４９】
以上のように本発明によれば、光ディスクの再生が開始し、装置のセット機能がＤＴＳ
音声対応であるか否かを判定するＤＴＳ対応判定手段と、前記判定結果がＤＴＳ音声対応
でないことを示す場合は、強制的にドルビー音声を選択するように制御を行うドルビー音
声選択手段とを有する制御部を備えたので、ＤＴＳ音声対応されていない光ディスク再生
装置において、ＤＴＳコンテンツの光ディスクを再生するときメニュー設定などでドルビ
ー音声を選択しなくても、ドルビー音声の自動再生ができる。このように、ＤＴＳ音声に
代わり、ドルビー音声が自動的に再生され出力されるので、ユーザにとっては快適な音声
を聴くことができ、また、出力したい音声の種類としてドルビー音声を選択する操作を行
う必要がなくなり、使い勝手が向上する。
【００５０】
また、本発明によれば、光ディスクの再生が開始し、前記光ディスクから読み出された
ディスクメニューのＤＴＳが選択された場合、装置のセット機能がＤＴＳ音声対応である
か否かを示すＤＴＳ対応判定手段と、前記判定結果がＤＴＳ音声対応でないことを示す場
合、警告を発生する警告発生手段とを有する制御部を備えたので、ＤＴＳ音声対応されて
いない光ディスク再生装置において、ＤＴＳコンテンツの光ディスクを再生するとき、デ
ィスクメニューのＤＴＳを選択すると、警告が発生する。したがって、ユーザは、当該光
ディスク再生装置がＤＴＳ音声対応されていないことが分かり、これにより、ユーザには
不快感を与えるようなことがなくなり、使い勝手が向上する。
【００５１】
また、本発明によれば、ＤＴＳ音声対応の機能を有しない光ディスク再生装置であって
、光ディスクの再生が開始した場合は、強制的にドルビー音声を選択するように制御を行
うドルビー音声選択手段を有する制御部を備えたので、ユーザにとっては快適な音声を聴
くことができ、また、出力したい音声の種類としてドルビー音声を選択する操作を行う必
要がなくなり、使い勝手が向上する。
【００５２】
また、本発明によれば、光ディスクの再生が開始し、装置のセット機能がＤＴＳ音声対
応であるか否かを判定するＤＴＳ対応判定手段と、前記判定結果がＤＴＳ音声対応でない
ことを示す場合は強制的にドルビー音声を選択するように制御を行うドルビー音声選択手
段と、同じく前記判定結果がＤＴＳ音声対応でないことを示す場合は警告を発生する警告
発生手段とを制御部に設けたので、ＤＴＳ音声対応されていない光ディスク再生装置にお
いて、ＤＴＳコンテンツの光ディスクを再生するときメニュー設定などでドルビー音声を
選択しなくても、ドルビー音声の自動再生ができる。このように、ＤＴＳ音声に代わり、
ドルビー音声が自動的に再生され出力されるので、ユーザにとっては快適な音声を聴くこ
とができ、また、出力したい音声の種類としてドルビー音声を選択する操作を行う必要が
なくなり、使い勝手が向上する。また、ＤＴＳコンテンツの光ディスクを再生するとき、
ディスクメニューのＤＴＳを選択すると、警告が発生する。したがって、ユーザは、当該
光ディスク再生装置がＤＴＳ音声対応されていないことが分かり、これにより、ユーザに
は不快感を与えるようなことがなくなり、使い勝手が向上する。
【００５３】
また、本発明によれば、光ディスクの再生が開始し、装置のセット機能がＤＴＳ音声対
応であるか否かを判定するＤＴＳ対応判定手段と、前記判定結果がＤＴＳ音声対応でない
ことを示す場合は強制的にドルビー音声を選択するように制御を行うドルビー音声選択手
段と、同じく前記判定結果がＤＴＳ音声対応でないことを示す場合は警告を発生する警告
発生手段とを前記制御部に設けたので、ＤＴＳ音声対応されていない光ディスク再生装置
において、ＤＴＳコンテンツの光ディスクを再生するときメニュー設定などでドルビー音
声を選択しなくても、ドルビー音声の自動再生ができる。このように、ＤＴＳ音声に代わ
り、ドルビー音声が自動的に再生され出力されるので、ユーザにとっては快適な音声を聴
くことができ、また、出力したい音声の種類としてドルビー音声を選択する操作を行う必
要がなくなり、使い勝手が向上する。また、本発明によれば、ＤＴＳ音声対応されていな
い光ディスク再生装置において、ＤＴＳコンテンツの光ディスクを再生するとき、ディス
クメニューのＤＴＳを選択すると、警告が発生する。したがって、ユーザは、当該光ディ
スク再生装置がＤＴＳ音声対応されていないことが分かり、これにより、ユーザには不快
感を与えるようなことがなくなり、使い勝手が向上する。
【００５４】
また、本発明によれば、ＤＴＳ音声対応の機能を有しない光ディスク再生装置であって
、光ディスクの再生が開始し、前記光ディスクから読み出されたディスクメニューのＤＴ
Ｓが選択された場合、警告を発生する警告発生手段を有する制御部を備えたので、ユーザ
は、当該光ディスク再生装置がＤＴＳ音声対応されていないことが分かり、これにより、
ユーザには不快感を与えるようなことがなくなり、使い勝手が向上する。
【００５５】
また、本発明によれば、強制的にドルビー音声を選択するように制御を行うドルビー音
声選択手段または／および警告を発生する警告発生手段を制御部に設けたので、ＤＴＳコ
ンテンツの光ディスクを再生するときメニュー設定などでドルビー音声を選択しなくても
、ドルビー音声の自動再生ができる。このように、ＤＴＳ音声に代わり、ドルビー音声が
自動的に再生され出力されるので、ユーザにとっては快適な音声を聴くことができ、また
、出力したい音声の種類としてドルビー音声を選択する操作を行う必要がなくなり、使い
勝手が向上する。そして、または／およびＤＴＳ音声対応されていない光ディスク再生装
置において、ＤＴＳコンテンツの光ディスクを再生するとき、ディスクメニューのＤＴＳ
を選択すると、警告が発生する。したがって、ユーザは、当該光ディスク再生装置がＤＴ
Ｓ音声対応されていないことが分かり、これにより、ユーザには不快感を与えるようなこ
とがなくなり、使い勝手が向上する。
【００５６】
また、本発明によれば、強制的にドルビー音声を選択するように制御を行うドルビー音
声選択手段または／および警告を発生する警告発生手段を前記制御部に設けたので、ＤＴ
Ｓ音声対応されていない光ディスク再生装置において、ＤＴＳコンテンツの光ディスクを
再生するときメニュー設定などでドルビー音声を選択しなくても、ドルビー音声の自動再
生ができる。このように、ＤＴＳ音声に代わり、ドルビー音声が自動的に再生され出力さ
れるので、ユーザにとっては快適な音声を聴くことができ、また、出力したい音声の種類
としてドルビー音声を選択する操作を行う必要がなくなり、使い勝手が向上する。または
／および、本発明によれば、ＤＴＳ音声対応されていない光ディスク再生装置において、
ＤＴＳコンテンツの光ディスクを再生するとき、ディスクメニューのＤＴＳを選択すると
、警告が発生する。したがって、ユーザは、当該光ディスク再生装置がＤＴＳ音声対応さ
れていないことが分かり、これにより、ユーザには不快感を与えるようなことがなくなり
、使い勝手が向上する。
【００５７】
また、本発明によれば、ディスクメニュー選択キーが押下されたときディスクメニュー
を表示部に表示するディスクメニュー表示手段と、前記ディスクメニューから選択された
音声を示す音声選択情報を記憶手段に格納する音声選択情報格納手段と、前記表示部に表
示されたディスクメニューの中からＤＴＳ音声を選択した場合に装置のセット機能がＤＴ
Ｓ音声対応であるか否かを判定するＤＴＳ対応判定手段と、前記判定結果がＤＴＳ音声対
応でないことを示す場合に警告を発生する警告発生手段と、前記判定結果がＤＴＳ音声対
応であることを示す場合には前記記憶手段に格納されている音声選択情報をＤＴＳ音声を
示す音声選択情報に書き換えるＤＴＳ音声選択情報書換手段と、前記表示部に表示された
ディスクメニューの中からＤＴＳ音声を選択しなくドルビー音声を選択した場合は前記記
憶手段に格納されている音声選択情報をドルビー音声を示す音声選択情報に書き換えるド
ルビー音声選択情報書換手段と、前記表示部に表示されたディスクメニューの中からＤＴ
Ｓ音声を選択しなくＬＰＣＭ音声を選択した場合は前記記憶手段に格納されている音声選
択情報をＬＰＣＭ音声を示す音声選択情報に書き換えるＬＰＣＭ音声選択情報書換手段と
、前記表示部に表示されたディスクメニューの中からＤＴＳ音声を選択しなくＭＰＥＧ音
声を選択した場合は前記記憶手段に格納されている音声選択情報をＭＰＥＧ音声を示す音
声選択情報に書き換えるＭＰＥＧ音声選択情報書換手段と、本編再生処理が開始し装置の
セット機能がＤＴＳ音声対応であった場合に前記記憶手段に音声選択情報が有るか無いか
を判定する第１の音声選択情報有無判定手段と、前記記憶手段に音声選択情報が有ると判
定された場合に前記記憶手段に格納されている音声選択情報に従って音声を選択する第１
の音声選択手段と、本編再生処理が開始し装置のセット機能がＤＴＳ音声対応でなかった
場合に前記記憶手段に音声選択情報が有るか無いかを判定する第２の音声選択情報有無判
定手段と、前記記憶手段に音声選択情報が有ると判定された場合に前記記憶手段に格納さ
れている音声選択情報はＤＴＳ音声を示す音声選択情報であるか否かを判定する音声選択
情報判定手段と、前記音声選択情報がＤＴＳ音声を示す音声選択情報であると判定された
場合に強制的にドルビー音声を選択するように制御を行うドルビー音声選択手段と、前記
音声選択情報がＤＴＳ音声を示す音声選択情報でないと判定された場合に前記記憶手段に
格納されている音声選択情報に従って音声を選択する第２の音声選択手段と，前記強制的
にドルビー音声を選択した後、または前記記憶手段に格納されている音声選択情報に従っ
て音声を選択した後に本編情報の再生を行うように制御する本編再生制御手段とを、前記
制御部に設けたので、ＤＴＳコンテンツの光ディスクを再生するときメニュー設定などで
ドルビー音声を選択しなくても、ドルビー音声の自動再生ができる。このように、ＤＴＳ
音声に代わり、ドルビー音声が自動的に再生され出力されるので、ユーザにとっては快適
な音声を聴くことができ、また、出力したい音声の種類としてドルビー音声を選択する操
作を行う必要がなくなり、使い勝手が向上する。また、ＤＴＳコンテンツの光ディスクを
再生するとき、ディスクメニューのＤＴＳを選択すると、警告が発生する。したがって、
ユーザは、当該光ディスク再生装置がＤＴＳ音声対応されていないことが分かり、これに
より、ユーザには不快感を与えるようなことがなくなり、使い勝手が向上する。
【発明を実施するための最良の形態】
【００５８】
以下、添付図面を参照しつつ、本発明の実施の形態について説明する。図１は本発明の
第１の実施形態に係る光ディスク再生装置の構成を示すブロック図である。この光ディス
ク再生装置１は、光ディスクとしてのＤＶＤ２に記録されている映像、音声などの圧縮デ
ータを読み取って映像、音声などを再生し、再生した映像、音声などを出力する装置であ
り、ＤＴＳ音声の再生用のデコーダを有しないタイプの装置である。
【００５９】
この光ディスク再生装置１は、トレイに装着されたＤＶＤ２を回転駆動するスピンドル
モータ３、ＤＶＤ２に記録されている情報をＲＦ信号の形式で出力する光ピックアップ４
、この光ピックアップ４から出力されたＲＦ信号の２値化処理などを行うＲＦ回路５、お
よびＲＦ回路５による処理後のデータに対してデータ復調や誤り訂正などのデコーダ処理
を施すデータデコーダ６を備えている。また、この光ディスク再生装置１は、データデコ
ーダ６でデコード処理が施されたデータを主映像圧縮データ、副映像圧縮データ、および
各種の音声圧縮データに振り分けるデマルチプレクサ７、主映像圧縮データを復号するビ
デオデコーダ８、副映像圧縮データを復号して字幕データなどを再生するサブピクチャデ
コーダ９、各種の音声圧縮データを復号するオーディオデコーダ１０を備えている。
【００６０】
加算器１１は、ビデオデコーダ８からの主映像データとサブピクチャデコーダ９からの
字幕などの副映像データとを合成し、また、Ｄ／Ａ変換処理部１２は、加算器１１により
合成された映像データや、オーディオデコーダ１０により復号された音声データをアナロ
グ信号に変換する。また、ビデオ出力端子１３とオーディオ出力端子１４とは、Ｄ／Ａ変
換処理部１２からの映像信号と音声信号とをそれぞれ出力する。
【００６１】
また、この光ディスク再生装置１は、装置全体の制御を行う制御部２０、および装置本
体に対して再生・停止などの指示や各種の設定を行うためのリモコン３０を有している。
制御部２０には、スピンドルモータ３、ＲＦ回路５、データデコーダ６、デマルチプレク
サ７、ビデオデコーダ８、サブピクチャデコーダ９、オーディオデコーダ１０、および加
算器１１が接続され、更に、各種の設定データなどを格納したＲＡＭ２１、装置に各種の
指示を与えるための操作部２２、各種のメッセージを表示する表示部２３、レジューム情
報などのデータを一時的に記憶するバッファ２４、およびリモコン３０から送信された赤
外線信号を受信する赤外線信号受信部２５が接続されている。
【００６２】
ＲＡＭ２１には、主映像圧縮データ、副映像圧縮データ、および各種の音声圧縮データ
に関する識別情報のテーブルが記憶されている。このうち、音声圧縮データに関する識別
情報は、図２に示されるように、ストリームＩＤとサブストリームＩＤの上位５ビットか
ら構成されており、このテーブルの中には、ＬＰＣＭ、ドルビーディジタル、ＭＰＥＧオ
ーディオの識別情報に加えて、ＤＴＳの識別情報も格納されている。
【００６３】
制御部２０は、ユーザにより再生が指示されると、ＲＡＭ２１から前記テーブル内の識
別情報を読み込んでデマルチプレクサ７に伝達すると共に、所定の条件に基づいて選択し
た特定の種類の音声圧縮データに関する識別情報をデマルチプレクサ７に伝達する。この
デマルチプレクサ７は、それらの識別情報に基づいてデータデコーダ６からの圧縮データ
を、主映像圧縮データ、副映像圧縮データ、音声圧縮データに振り分けると共に、音声圧
縮データの中から前記特定の種類の識別情報を持つ音声圧縮データを抽出する。そして、
振り分けた主映像圧縮データをビデオデコーダ８に、副映像圧縮データをサブピクチャデ
コーダ９にそれぞれ送信し、また、抽出した音声圧縮データをオーディオデコーダ１０に
送信する。
【００６４】
また、制御部２０には、ＤＶＤ２の再生が開始し、装置のセット機能がＤＴＳ音声対応
であるか否かを判定するＤＴＳ対応判定手段２０１と、前記判定結果がＤＴＳ音声対応で
ないことを示す場合は、強制的にドルビー音声を選択するように制御を行うドルビー音声
選択手段２０２とが備えられている。このようなＤＴＳ対応判定手段２０１とドルビー音
声選択手段２０２を備えることにより、ＤＴＳ音声対応されていない光ディスク再生装置
１において、ＤＴＳコンテンツのＤＶＤ２を再生するときメニュー設定などでドルビー音
声を選択しなくても、ドルビー音声の自動再生ができる。したがって、ＤＴＳ音声に代わ
り、ドルビー音声が出力されるので、ユーザにとっては快適な音声を聴くことができ、ま
た、出力したい音声の種類としてドルビー音声を選択する操作を行う必要がなくなり、使
い勝手が向上する。
【００６５】
また、制御部２０には、ＤＴＳ対応判定手段２０１の判定結果がＤＴＳ音声対応でない
ことを示す場合、警告を発生する警告発生手段２０３とが備えられている。このようなＤ
ＴＳ対応判定手段２０１と警告発生手段２０３を備えたことにより、ＤＴＳ音声対応され
ていない光ディスク再生装置１において、ＤＴＳコンテンツのＤＶＤ２を再生するとき、
ディスクメニューのＤＴＳを選択すると、警告が発生する。したがって、ユーザは、当該
光ディスク再生装置がＤＴＳ音声対応されていないことが分かり、これにより、ユーザに
は不快感を与えるようなことがなくなり、使い勝手が向上する。
【００６６】
このような動作を実現するため、詳しくは制御部２０は、ディスクメニュー選択キーが
押下されたときディスクメニューを表示部２３に表示するディスクメニュー表示手段（図
示せず）と、前記ディスクメニューから選択された音声を示す音声選択情報をＲＡＭ２１
に格納する音声選択情報格納手段（図示せず）と、表示部２３に表示されたディスクメニ
ューの中からＤＴＳ音声を選択した場合に装置のセット機能がＤＴＳ音声対応であるか否
かを判定する前記したＤＴＳ対応判定手段２０１と、前記判定結果がＤＴＳ音声対応でな
いことを示す場合に警告を発生する前記した警告発生手段２０３と、前記判定結果がＤＴ
Ｓ音声対応であることを示す場合にはＲＡＭ２１に格納されている音声選択情報をＤＴＳ
音声を示す音声選択情報に書き換えるＤＴＳ音声選択情報書換手段（図示せず）とを有す
る。
【００６７】
また、制御部２０は、表示部２３に表示されたディスクメニューの中からＤＴＳ音声を
選択しなくドルビー音声を選択した場合はＲＡＭ２１に格納されている音声選択情報をド
ルビー音声を示す音声選択情報に書き換えるドルビー音声選択情報書換手段（図示せず）
と、表示部２３に表示されたディスクメニューの中からＤＴＳ音声を選択しなくＬＰＣＭ
音声を選択した場合はＲＡＭ２１に格納されている音声選択情報をＬＰＣＭ音声を示す音
声選択情報に書き換えるＬＰＣＭ音声選択情報書換手段（図示せず）と、表示部２３に表
示されたディスクメニューの中からＤＴＳ音声を選択しなくＭＰＥＧ音声を選択した場合
はＲＡＭ２１に格納されている音声選択情報をＭＰＥＧ音声を示す音声選択情報に書き換
えるＭＰＥＧ音声選択情報書換手段（図示せず）と有する。
【００６８】
また、制御部２０は、本編再生処理が開始し装置のセット機能がＤＴＳ音声対応であっ
た場合にＲＡＭ２１に音声選択情報が有るか無いかを判定する第１の音声選択情報有無判
定手段（図示せず）と、ＲＡＭ２１に音声選択情報が有ると判定された場合に前記記憶手
段に格納されている音声選択情報に従って音声を選択する第１の音声選択手段（図示せず
）と、本編再生処理が開始し装置のセット機能がＤＴＳ音声対応でなかった場合にＲＡＭ
２１に音声選択情報が有るか無いかを判定する第２の音声選択情報有無判定手段（図示せ
ず）と、ＲＡＭ２１に音声選択情報が有ると判定された場合にＲＡＭ２１に格納されてい
る音声選択情報はＤＴＳ音声を示す音声選択情報であるか否かを判定する音声選択情報判
定手段（図示せず）と、前記音声選択情報がＤＴＳ音声を示す音声選択情報であると判定
された場合に強制的にドルビー音声を選択するように制御を行う前記したドルビー音声選
択手段２０２と、前記音声選択情報がＤＴＳ音声を示す音声選択情報でないと判定された
場合にＲＡＭ２１に格納されている音声選択情報に従って音声を選択する第２の音声選択
手段（図示せず）と，前記強制的にドルビー音声を選択した後、またはＲＡＭ２１に格納
されている音声選択情報に従って音声を選択した後に本編情報の再生を行うように制御す
る本編再生制御手段（図示せず）とを有する。
【００６９】
図３は、図１中のオーディオデコーダ１０の要部構成を示すブロック図である。このオ
ーディオデコーダ１０は、デマルチプレクサ７（図１参照）からの音声圧縮データに含ま
れる付加データを用いてオーディオデコーダ１０の全体的な動作の制御を行うデコーディ
ング制御部４１、デマルチプレクサ７からの音声圧縮データを一時的に格納する入力バッ
ファ４２、この入力バッファ４２からの音声圧縮データに基づいて音声データを再生する
オーディオデータ中核部４３、およびＤ／Ａ変換処理部１２に出力するディジタル形式の
音声データを一時的に格納する出力バッファ４７から構成されている。
【００７０】
また、オーディオデコーダ中核部４３は、ＬＰＣＭ音声用のデコーダ（ＬＰＣＭデコー
ダ）４４、ドルビーディジタル音声用のデコーダ（ドルビーディジタルデコーダ）４５、
およびＭＰＥＧオーディオ用のデコーダ（ＭＰＥＧオーディオデコーダ）４６を有してお
り、デマルチプレクサ７からの音声圧縮データに含まれるストリームＩＤ（図４中の５６
参照）とサブストリームＩＤ（図４中の５３参照）の上位５ビットを参照して、該当の音
声圧縮データの種類を判別し、判別した圧縮データの種類に応じて使用する音声デコーダ
を選択する。そして、選択した音声デコーダを用いて入力バッファ４２から送られた音声
圧縮データの伸張と復号を行う。なお、当該光ディスク再生装置がＤＴＳ音声の再生機能
をも有する場合は、図３中のオーディオデコーダ中核部４３には図示しないがＤＴＳデコ
ーダも含まれた構成を有する。したがって、当該光ディスク再生装置がＤＴＳ音声対応し
ているものとして用いた場合は、ＤＴＳコンテンツの光ディスクを再生する際はＤＴＳデ
コーダを使用するが、当該光ディスク再生装置がＤＴＳ音声対応していないものとして用
いた場合は、ＤＴＳコンテンツの光ディスクを再生する際はＤＴＳデコーダを使用しない
ようにすれば良い。
【００７１】
次に、前記音声圧縮データにおけるストリームＩＤとサブストリームＩＤについて図４
を参照して説明する。図４は、ＤＶＤ２におけるオーディオパックの記録状態を示す。デ
ータデコーダ６からデマルチプレクサ７に送られる音声圧縮データは、このオーディオパ
ック５０を復号個結合して構成したものであるか、または１個のオーディオパック５０で
構成したものである。このオーディオパック５０は、パックヘッダ５１、パケットヘッダ
５２、サブストリームＩＤ５３、オーディオデータ５４などにより構成される。
【００７２】
バックヘッダ５１内には、パックスタートコード、システム時刻基準参照値などが含ま
れており、また、パケットヘッド５２内には、パケットスタートコード５５、ストリーム
ＩＤ５６などが含まれている。データデコーダ６からデマルチプレクサ７に送られる音声
圧縮データの中には、ストリームＩＤ５６とサブストリームＩＤ５３とが含まれており、
デマルチプレクサ７は、ストリームＩＤ５６とサブストリームＩＤ５３の上位５ビットを
参照して、音声圧縮データの中から特定の種類の音声圧縮データを抽出し、抽出した音声
圧縮データをオーディオデコーダ１０に送信する。
【００７３】
図５は第１の実施形態の光ディスク再生装置１においてディスクメニュー選択に関する
処理を説明するためのフローチャートである。このフローチャートを参照してディスクメ
ニュー選択に関する処理について説明する。この場合は、光ディスク再生装置１はＤＴＳ
音声対応されていない装置であり、再生される光ディスクはＤＴＳコンテンツのＤＶＤ２
であるとする。
【００７４】
この光ディスク再生装置１にＤＶＤ２が装填され、操作部２２のディスクメニュー選択
キーが押下されると（ステップＳ１１１）、ディスクメニュー再生処理が開始し、表示部
２３にディスクメニューが表示される（ステップＳ１１２）。ここで、ＤＴＳ音声を選択
すると（ステップＳ１１３）、次に、制御部２０のＤＴＳ対応判定手段２０１は、ＤＶＤ
２の音声情報を判別して、この音声情報によりＤＶＤ２の音声がＤＴＳであると言うこと
が分かると、本装置のセット機能がＤＴＳ音声対応であるか否かを判定する（ステップＳ
１１４）。このＤＴＳ音声対応であるか否かの判定は、この光ディスク再生装置内の制御
部２０に接続された図示しないＲＯＭに記憶されている内部記述プログラムがＤＴＳの有
り用を記述しているかＤＴＳの無し用を記述しているかを判別することによって行われる
。
【００７５】
この判定の結果、セット機能がＤＴＳ音声対応でないと言うことが分かった場合、制御
部２０の警告発生手段２０３は、表示部２３に例えば「この装置はＤＴＳに対応していま
せん」というような警告表示を行う（ステップＳ１１５）。
【００７６】
なお、このような警告表示の代わりに、表示灯で警告点灯を行ったり、あるいは音声で
「この装置はＤＴＳに対応していません」などと警告しても良い。また、警告を発生する
場合は、当該装置はＤＴＳ音声対応の機能が無いということを取扱説明書に注意書きとし
て記載しておく。
【００７７】
前記判定結果がＤＴＳ音声対応であることを示す場合には（ステップＳ１１４）、ＲＡ
Ｍ２１に格納されている音声選択情報は、ＤＴＳ音声選択情報書換手段により、ＤＴＳ音
声を示す音声選択情報に書き換えられる（ステップＳ１１６）。表示部２３に表示された
ディスクメニューの中からＤＴＳ音声を選択しなくドルビー音声を選択した場合は（ステ
ップＳ１１８）、ＲＡＭ２１に格納されている音声選択情報は、ドルビー音声選択情報書
換手段により、ドルビー音声を示す音声選択情報に書き換えられる（ステップＳ１１７）
。
【００７８】
表示部２３に表示されたディスクメニューの中からＤＴＳ音声を選択しなくＬＰＣＭ音
声を選択した場合は（ステップＳ１１９）、ＲＡＭ２１に格納されている音声選択情報は
、ＬＰＣＭ音声選択情報書換手段により、ＬＰＣＭ音声を示す音声選択情報に書き換えら
れる（ステップＳ１２０）。表示部２３に表示されたディスクメニューの中からＤＴＳ音
声を選択しなくＭＰＥＧ音声を選択した場合は（ステップＳ１２１）、ＲＡＭ２１に格納
されている音声選択情報は、ＭＰＥＧ音声選択情報書換手段により、ＭＰＥＧ音声を示す
音声選択情報に書き換えられる（ステップＳ１２２）。
【００７９】
図６は第１の実施形態の光ディスク再生装置１における音声選択処理を説明するための
フローチャートである。このフローチャートを参照して音声選択処理について説明する。
【００８０】
本編再生処理が開始し（ステップＳ６１）、装置のセット機能がＤＴＳ音声対応であっ
た場合には（ステップＳ６２）、ＲＡＭ２１に格納されている音声選択情報に従って、音
声が第１の音声選択手段により選択される（ステップＳ６６）。
【００８１】
また、本編再生処理が開始し（ステップＳ６１）、装置のセット機能がＤＴＳ音声対応
でなかった場合には（ステップＳ６２）、ＲＡＭ２１に格納されている音声選択情報はＤ
ＴＳ音声を示す音声選択情報であるか否かが音声選択情報判定手段により判定される（ス
テップＳ６３）。
【００８２】
前記音声選択情報がＤＴＳ音声を示す音声選択情報であると判定された場合には、強制
的にドルビー音声がドルビー音声選択手段により選択される（ステップＳ６５）。前記音
声選択情報がＤＴＳ音声を示す音声選択情報でないと判定された場合は、ＲＡＭ２１に格
納されている音声選択情報に従って音声が第２の音声選択手段により選択される（ステッ
プＳ６４）。
【００８３】
セット機能がＤＴＳ音声対応である場合は（ステップＳ６２）、ＲＡＭ２１に格納され
ている音声選択情報に従って音声が選択される（ステップＳ６６）。
【００８４】
このように、前記強制的にドルビー音声が選択された後、またはＲＡＭ２１に格納され
ている音声選択情報に従って音声が選択された後は、本編再生制御手段の制御により本編
情報が再生される（ステップＳ６７）。
【００８５】
図７はＤＶＤから音声の初期値を格納する処理を説明するためのフローチャートである
。このフローチャートで示すように、ＤＶＤ２を光ディスク再生装置１に挿入すると（ス
テップＳ７１）、ＲＡＭ２１にディスクメニューの音声の初期値を格納する（ステップＳ
７２）。音声の初期値とは、ＤＴＳ音声、ドルビー音声、ＬＰＣＭ音声、およびＭＰＥＧ
音声のうちのどの音声を選択するかの初期値である。ユーザが音声を選択しなかった場合
は、光ディスク再生装置１に挿入されたＤＶＤ２から取り出した音声の初期値を選択し、
この選択した音声を出力するようにしている。
【００８６】
以上説明した図５〜図７に示すような処理により、ＤＴＳコンテンツのＤＶＤを再生す
るときメニュー設定などでドルビー音声を選択しなくても、ドルビー音声の自動再生がで
きる。このように、ＤＴＳ音声に代わり、ドルビー音声が自動的に再生され出力されるの
で、ユーザにとっては快適な音声を聴くことができ、また、出力したい音声の種類として
ドルビー音声を選択する操作を行う必要がなくなり、使い勝手が向上する。
【００８７】
また、ＤＴＳコンテンツのＤＶＤを再生するとき、ディスクメニューのＤＴＳを選択す
ると、警告が発生する。したがって、ユーザは、当該光ディスク再生装置１がＤＴＳ音声
対応されていないことが分かり、これにより、ユーザには不快感を与えるようなことがな
くなり、使い勝手が向上する。
【００８８】
図８は本発明の第２の実施形態の光ディスク再生装置における音声選択処理を説明する
ためのフローチャートである。なお、この第２の実施形態の光ディスク再生装置の構成は
、図１で説明した構成と同様である。以下、このフローチャートを参照して第２の実施形
態における音声選択処理について説明する。
【００８９】
この光ディスク再生装置１はＤＴＳ音声対応されていない装置であり、再生される光デ
ィスクはＤＴＳコンテンツのＤＶＤ２であるとする。
【００９０】
この光ディスク再生装置１にＤＶＤ２が装填され、操作部２２の再生キーが押下される
ことにより本編再生処理が開始すると（ステップＳ１）、制御部２０のＤＴＳ対応判定手
段２０１は、ＤＶＤ２の音声情報を判別して、この音声情報によりＤＶＤ２の音声がＤＴ
Ｓであると言うことが分かると、本装置のセット機能がＤＴＳ音声対応であるか否かを判
定する（ステップＳ２）。この判定の結果、セット機能がＤＴＳ音声対応でないと言うこ
とが分かった場合、制御部２０のドルビー音声選択手段２０２は、強制的にドルビー音声
を選択する（ステップＳ３）。
【００９１】
即ち、制御部２０のドルビー音声選択手段２０２は、オーディオデコーダ１０内のドル
ビーディジタルデコーダ４５を選択して駆動させることにより、ドルビー音声が強制的に
選択されることになる。そして、その後、本編情報が再生される（ステップＳ４）。この
本編情報の再生においては、音声はドルビー音声で再生されることになる。
【００９２】
なお、ＤＶＤ２をＤＴＳ音声対応の光ディスク再生装置１で再生した場合は、セット機
能がＤＴＳ音声対応であるので、ステップＳ２からステップＳ５に移り、表示部に表示さ
れたディスクメニューの初期値に従って音声を選択する。この場合、ディスクメニューの
初期値はＤＴＳ音声に設定されているので、ＤＴＳ音声が再生されることになる。
【００９３】
このような処理により、ＤＴＳコンテンツのＤＶＤ２を再生するときメニュー設定など
でドルビー音声を選択しなくても、ドルビー音声の自動再生ができる。このように、ＤＴ
Ｓ音声に代わり、ドルビー音声が出力されるので、ユーザにとっては快適な音声を聴くこ
とができ、また、出力したい音声の種類としてドルビー音声を選択する操作を行う必要が
なくなり、使い勝手が向上する。
【００９４】
図９は第２の実施形態の光ディスク再生装置における警告発生処理を説明するためのフ
ローチャートである。このフローチャートを参照して警告発生処理について説明する。こ
の場合も、光ディスク再生装置１はＤＴＳ音声対応されていない装置であり、再生される
光ディスクはＤＴＳコンテンツのＤＶＤ２であるとする。
【００９５】
この光ディスク再生装置１にＤＶＤ２が装填され、操作部２２のディスクメニュー選択
キーが押下されると（ステップＳ１１）、再生処理（本編情報の再生前の準備処理）が開
始し、表示部２３にディスクメニューが表示される（ステップＳ１２）。ここで、ＤＴＳ
音声を選択すると（ステップＳ１３）、次に、制御部２０のＤＴＳ対応判定手段２０１は
、ＤＶＤ２の音声情報を判別して、この音声情報によりＤＶＤ２の音声がＤＴＳであると
言うことが分かると、本装置のセット機能がＤＴＳ音声対応であるか否かを判定する（ス
テップＳ１４）。
【００９６】
この判定の結果、セット機能がＤＴＳ音声対応でないと言うことが分かった場合、制御
部２０の警告発生手段２０３は、表示部２３に例えば「この装置はＤＴＳに対応していま
せん」とういうような警告表示を行う（ステップＳ１５）。
【００９７】
なお、このような警告表示の代わりに、表示灯で警告点灯を行ったり、あるいは音声で
「この装置はＤＴＳに対応していません」などと警告しても良い。また、警告を発生する
場合は、当該装置はＤＴＳ音声対応の機能が無いということを取扱説明書に注意書きとし
て記載しておく。
【００９８】
このような警告により、ユーザはディスクメニューのドルビーを選択すると、ステップ
Ｓ１３からステップＳ１７に移り（但し図８に示す処理を行ってから）、この光ディスク
再生装置１はドルビー音声を再生する（ステップＳ１７）。なお、ＤＶＤ２をＤＴＳ音声
対応の光ディスク再生装置で再生した場合は、セット機能がＤＴＳ音声対応になっている
ので、ステップＳ１４からステップＳ１６に移り（但し図８に示す処理を行ってから）、
ＤＴＳ音声が再生されることになる。
【００９９】
このような処理により、ＤＴＳ音声対応されていない光ディスク再生装置において、Ｄ
ＴＳコンテンツのＤＶＤ２を再生するとき、ディスクメニューのＤＴＳを選択すると、警
告が発生する。したがって、ユーザは、当該光ディスク再生装置がＤＴＳ音声対応されて
いないことが分かり、これにより、ユーザには不快感を与えるようなことがなくなり、使
い勝手が向上する。
【図面の簡単な説明】
【０１００】
【図１】本発明の第１，第２の実施形態に係る光ディスク再生装置の構成を示すブロック図である。
【図２】第１，第２の実施形態に係る光ディスク再生装置のＲＡＭに格納された音声圧縮データに関する識別情報の内容を示すテーブル図である。
【図３】第１，第２の実施形態に係る光ディスク再生装置のオーディオデコーダの要部構成を示すブロック図である。
【図４】第１，第２の実施形態に係る光ディスク再生装置の読取対象となるＤＶＤにおけるオーディオパックの記録状態を示す図である。
【図５】第１の実施形態の光ディスク再生装置におけるディスクメニュー選択に関する処理を説明するためのフローチャートである。
【図６】第１の実施形態の光ディスク再生装置における音声選択処理を説明するためのフローチャートである。
【図７】第１の実施形態においてＤＶＤから音声の初期値を格納する処理を説明するためのフローチャートである。
【図８】本発明の第２の実施形態の光ディスク再生装置における音声選択処理を説明するためのフローチャートである。
【図９】第２の実施形態の光ディスク再生装置における警告発生処理を説明するためのフローチャートである。
【符号の説明】
【０１０１】
１    光ディスク再生装置
２    ＤＶＤ（光ディスク）
４    光ピックアップ
７    デマルチプレクサ
８    ビデオデコーダ（映像再生手段）
１０    オーディオデコーダ（音声再生手段）
２０    制御部
２１    ＲＡＭ（記憶手段）
２３    表示部
４４    ＬＰＣＭ音声用デコーダ（音声デコーダ）
４５    ドルビーディジタル音声用デコーダ（音声デコーダ）
４６    ＭＰＥＧオーディオ用デコーダ（音声デコーダ）
５３    サブストリームＩＤ（音声識別情報）
５６    ストリーム（音声識別情報）
２０１    ＤＴＳ対応判別手段
２０２    ドルビー音声選択手段
２０３    警告発生手段
【図１】
2005116152.tif 000003
【図２】
2005116152.tif 000004
【図３】
2005116152.tif 000005
【図４】
2005116152.tif 000006
【図５】
2005116152.tif 000007
【図６】
2005116152.tif 000008
【図７】
2005116152.tif 000009
【図８】
2005116152.tif 000010
【図９】
2005116152.tif 000011